(57)【要約】【課題】  数種のビラを丁合するときに、取り出した後の残りのビラが暴れのを防いで、能率を向上させ、作業者の精神的負担を軽減する。【解決手段】  四角形の台板と、台板の左辺及び上辺のコーナー側の一部の縁から上起する起立壁と、各起立壁の残りと下辺及び右辺の縁から垂下し、各起立壁のコーナーを最下点としてその対角線側のコーナーを最高点として台板を傾斜状態に支持する脚壁とからなる。【選択図】  図２
0003158456.tif 000002
【実用新案登録請求の範囲】
【請求項１】
四角形の台板と、台板の左辺及び上辺のコーナー側の一部の縁から上起する起立壁と、各起立壁の残りと下辺及び右辺の縁から垂下し、各起立壁のコーナーを最下点としてその対角線側のコーナーを最高点として台板を傾斜状態に支持する脚壁とからなることを特徴とするビラ丁合台。
【請求項２】
一枚の厚紙をトムソン加工によって各起立壁及び各脚壁の境界に適宜重合代をとって切断線と折曲線を形成して台板に連続する展開した姿で打ち抜くとともに、各起立壁と各脚壁を山折りと谷折りして折曲するとともに、重合代を相手方に接着して組み立てた請求項１のビラ丁合台。
【請求項３】
台板に、最下点と最高点を結ぶ線をコーナーとする一又は複数の副起立壁を重合代をとって切断線と折曲線を形成した請求項２のビラ丁合台。
【請求項４】
折曲線を表裏逆に折曲して裏返すことで最下点を右辺と上辺のコーナーに、最高点をその対角線側のコーナーとした請求項２又は３のビラ丁合台。
【考案の詳細な説明】
【技術分野】
【０００１】
本考案は、何種類かの紙葉や冊子を丁合するときに使用するビラ丁合台に関するものである。
【背景技術】
【０００２】
ＤＭ等では、複数の紙葉や冊子（これをビラという）を丁合することが必要になることがある。このような丁合はほとんど手作業であり、種類の異なるビラをそれぞれ重ねておき、これを一枚一枚取り出して丁合をしていた。しかし、取り出した残りのビラの重合が崩れ（これを暴れるという）、これを直すのに時間がかかり、能率を低下させるとともに、精神的にも負担を強いていた。さらに、誤って二枚取り出すこともあった。なお、特許文献１には、紙葉を揃えて綴じ孔をあける綴具が提案されているが、これはあくまで、綴じ孔をあける際に丁合した紙葉を揃えるためのものであって、ここでいう丁合台とはその趣旨が異なる。
【先行技術文献】
【特許文献】
【０００３】
【特許文献１】特開平０６−３２０８９４号公報
【考案の概要】
【考案が解決しようとする課題】
【０００４】
本考案が解決しようとする課題は、重合したビラを一枚取り出したときに残りのビラの重合が崩れるのを防ぐことである。
【課題を解決するための手段】
【０００５】
以上の課題の下、本考案は、請求項１に記載した、四角形の台板と、台板の左辺及び上辺のコーナー側の一部の縁から上起する起立壁と、各起立壁の残りと下辺及び右辺の縁から垂下し、各起立壁のコーナーを最下点としてその対角線側のコーナーを最高点として台板を傾斜状態に支持する脚壁とからなることを特徴とするビラ丁合台を提供したものである。
【０００６】
また、本考案は、以上のビラ丁合台において、請求項２に記載した、一枚の厚紙をトムソン加工によって各起立壁及び各脚壁の境界に適宜重合代をとって切断線と折曲線を形成して台板に連続する展開した姿で打ち抜くとともに、各起立壁と各脚壁を山折りと谷折りして折曲するとともに、重合代を相手方に接着して組み立てた手段、請求項３に記載した、台板に、最下点と最高点を結ぶ線をコーナーとする一又は複数の副起立壁を重合代をとって切断線と折曲線を形成した手段、請求項４に記載した、折曲線を表裏逆に折曲して裏返すことで最下点を右辺と上辺のコーナーに、最高点をその対角線側のコーナーとした手段を提供する。
【考案の効果】
【０００７】
請求項１の考案によると、台板は起立壁のコーナーを最下点として傾斜したものであるから、ビラを一枚取り出した（当然に最高点側から）後のビラの重合体はそれぞれコーナーを滑り下りて左辺と上辺の起立壁に突き当たり、いずれも紙端が揃った状態で留まる。このため、ビラの暴れが防止でき、能率も低下させないし、精神的な負担も軽減される。また、請求項２の手段によれば、ビラ丁合台を安価に製作できるし、請求項３の手段によれば、種々のサイズのビラに対応できる。さらに、請求項４の手段によれば、一種類の丁合台左利きにも対応できる。
【図面の簡単な説明】
【０００８】
【図１】ビラ丁合台の展開図である。
【図２】ビラ丁合台からビラを取り出すときの斜視図である。
【図３】ビラ丁合台の斜視図である。
【図４】ビラ丁合台の他の例を示す斜視図である。
【図５】ビラ丁合台の他の例を示す展開図である。
【図６】ビラ丁合台からビラを取り出すときの他の例の斜視図である。
【考案を実施するための形態】
【０００９】
以下、本考案の実施の形態を図面を参照して説明する。図２は本考案に係るビラ丁合台を斜め正面から見た斜視図、図３は反対側から見た斜視図であるが、この丁合台は四角形の台板１と、台板１の左辺及び上辺のコーナー側の一部の縁から上起する起立壁２、３と、台板１の縁から垂下して台板１を支える脚壁４とからなる。これにおいて、脚壁４の底面は傾斜に形成されており、上記したコーナーが最下点５、これと対角線のコーナーが最高点６になっている。
【００１０】
以上の構成により、丁合すべきビラ７の重合体を台板１に載せておくと、一番上のビラ７を最高点６側に取り出したとき、残りのビラ７が暴れたとしても、台板１の傾斜に沿って滑り下り、両方の起立壁２、３に当たって各ビラ７の重合が揃った状態で留まる。この点で、台板１の傾斜や滑り性はこれが可能なようにしておく。したがって、二枚取りといった事態もなくなる。なお、種類が異なるビラ７を丁合するときには、その種類の数に応じてこの丁合台を用意しておく。さらに、丁合したビラ７は封筒等に封入する。
【００１１】
このような丁合台の材質や構造は問わないが、ビラ７の重合体の重量はそれほどでもないから、厚紙のようなもので足りる。これによると、トムソン加工等で一枚の厚紙を展開した姿で打ち抜いておき、後は折り曲げればよく、非常に安価に製作できる。図１はその展開図であるが、起立壁２、３と脚壁４との境界に切断線８を入れておくとともに、起立壁２、３や各脚壁４をその姿勢に保持するためにそれぞれのコーナー部に重合代９を確保しておき、この境界にも切断線８を入れておく。
【００１２】
そして、台板１と起立壁２、３の境界に谷折り線１０を入れておき、台板１と脚壁４の境界及び脚壁４と重合代９の境界には山折り線１１を入れておく。ただし、トムソン加工でこれを区別するとなると、二重の工程になるから、実際には谷折り線１０、山折り線１１ともに一面側に形成した細い溝になるであろう。
【００１３】
以上の谷折り線１０と山折り線１１でそれぞれ谷折り、山折りすると、起立壁２、３は台板１から起立し、脚壁４は垂下するものとなる。そして、重合代９を起立壁２、３や脚壁４に重合して接着すれば、上記した姿の丁合台が完成する。なお、この接着を考慮して予め重合代９の適所に面ファスナー等１２を貼り付けておけばこの作業が簡単になる。なお、本例では、最下点５が接地面よりｈだけ浮いたものになっているが、ビラ７が重い場合には、脚壁４の傾斜を調整して最下点５が接地面に接するようにしておいてもよい。
【００１４】
図５は他の例を示す展開図、図６は組み立てたものの斜視図であるが、本例のものは、トムソン加工に際して台板１に最下点５と最高点６を結ぶ線をコーナーとする副起立壁１３、１４を重合代９をとって切断線８と谷折り線１０を形成したものである（１２は面ファスナー）。一般に、小さいサイズのビラ７を台板１に端を余して重合しておくと、取り難い上に暴れが生じ易くなるからである。この場合の副起立壁等は一つに限るものではなく、更に小さいサイズの副起立壁１５、１６を形成してもよい。なお、使用しない小さいサイズの起立壁１３〜１６は倒しておけば、大きいサイズのビラ７を丁合するときにも支障は生じない。
【００１５】
以上の丁合台は右利き用で、作業者は右手でビラ７を取り出すものであるが、展開した姿はそのままでこれを左手で取り出す左利き用にもできる。図４はそれを示す斜視図であるが、この場合は、谷折り線１０を山折りし、山折り線１１を谷折りする裏返しにすればよい。さらに、重合代９の重合や接着もこれに応じてすればよい。
【符号の説明】
【００１６】
１      台板
２      起立壁
３      起立壁
４      脚壁
５      最下点
６      最高点
７      ビラ
８      切断線
９      重合代
１０    谷折り線
１１    山折り線
１２    メンファスナー
１３    副起立壁
１４    副起立壁
１５    副起立壁
１６    副起立壁
【図１】
0003158456.tif 000003
【図２】
0003158456.tif 000004
【図３】
0003158456.tif 000005
【図４】
0003158456.tif 000006
【図５】
0003158456.tif 000007
【図６】
0003158456.tif 000008